(57)【要約】  本開示は、パンツおむつ、サニタリーパンツ、または失禁パンツなどのパンツ型吸収性物品(1)に関する。物品は、吸収性物品(1)の衣服に面する側(5)に配された外側カバー(2)を含み、物品(1)は、前部(7)と、後部(8)と、それらの間のクロッチ部(9)と、をさらに有する。吸収性物品(1)は、外側カバー(2)の着用者に面する側においてクロッチ部(9)に配置された吸収コア(25)をさらに含む。外側カバー(2)は、その衣服に面する側(3)に不織布繊維状材料(4)を含み、テープ接着ゾーン(12)を含む処理テープ(10)は、そのテープ接着ゾーン(12)が、物品(1)の後部(8)における外側カバー(2)の不織布繊維状材料(4)上の取付ゾーン(13)において外側カバー(2)に永続的に取り付けられる。処理テープ(10)は、折り畳まれた処理前構成と、広げられた処理構成と、を有する。外側カバー取付ゾーン(13)は、不織布繊維状材料(4)の改質部分によって構成され、テープ接着ゾーン(12)と改質取付ゾーン(13)との間の結合強度は、テープ接着ゾーン(12)と不織布繊維状材料(4)の非改質部分との間の結合強度より大きい。
2021504033.tif 000002
【特許請求の範囲】
【請求項１】
パンツおむつ、サニタリーパンツ、または失禁パンツなどのパンツ型吸収性物品(1)であって、前記パンツ型吸収性物品(1)は、前記パンツ型吸収性物品(1)の衣服に面する側(5)に配された外側カバー(2)を含み、前記パンツ型吸収性物品(1)は、前部(7)と、後部(8)と、前記前部(7)と前記後部(8)との間のクロッチ部(9)と、を有し、前記パンツ型吸収性物品(1)は、前記外側カバー(2)の着用者に面する側で前記クロッチ部(9)に配置された吸収コア(25)を含み、前記外側カバー(2)は、その衣服に面する側(3)に不織布繊維状材料(4)を含み、テープ接着ゾーン(12)を含む処理テープ(10)は、前記テープ接着ゾーン(12)が、前記パンツ型吸収性物品(1)の前記後部(8)における前記外側カバー(2)の前記不織布繊維状材料(4)上の取付ゾーン(13)において前記外側カバー(2)に永続的に取り付けられ、前記処理テープ(10)は、折り畳まれた処理前構成と、広げられた処理構成と、を有し、外側カバー取付ゾーン(13)は、前記不織布繊維状材料(4)の改質部分によって構成され、前記テープ接着ゾーン(12)と改質取付ゾーン(13)との間の結合強度は、前記テープ接着ゾーン(12)と前記不織布繊維状材料(4)の非改質部分(14)との間の結合強度より大きいことを特徴とする、パンツ型吸収性物品(1)。
【請求項２】
前記改質取付ゾーン(13)は、改質断面外観を有し、それによって、不織布繊維(4a)は、前記取付ゾーン(13)内部が少なくとも部分的に固められ、かつ/または平坦化されることを特徴とする、請求項1に記載のパンツ型吸収性物品(1)。
【請求項３】
前記改質取付ゾーン(13)は、熱処理ゾーン、例えば熱エンボス加工、超音波、熱風、またはIRによって形成された熱処理ゾーンであることを特徴とする、請求項1または2に記載のパンツ型吸収性物品(1)。
【請求項４】
前記改質取付ゾーン(13)は、圧縮領域、例えばエンボス加工によって形成された圧縮ゾーンであることを特徴とする、請求項1から3のいずれか一項に記載のパンツ型吸収性物品(1)。
【請求項５】
前記改質取付ゾーン(13)は、圧縮され熱処理された領域、例えば熱エンボス加工によって形成された熱圧縮ゾーンであることを特徴とする、請求項1から4のいずれか一項に記載のパンツ型吸収性物品(1)。
【請求項６】
前記改質取付ゾーン(13)は、プラズマ処理ゾーンまたはコロナ処理ゾーンであることを特徴とする、請求項1から5のいずれか一項に記載のパンツ型吸収性物品(1)。
【請求項７】
前記外側カバー(2)は、前記不織布繊維状材料(4)と、少なくとも1つのさらなる材料層、例えば不織布材料および/または熱可塑性フィルムと、の積層物であることを特徴とする、請求項1から6のいずれか一項に記載のパンツ型吸収性物品(1)。
【請求項８】
前記外側カバー(2)の前記不織布繊維状材料(4)は、複数の別々の結合部を含み、前記結合部の累計表面積は、前記不織布繊維状材料(4)の総表面積の1%〜25%の範囲内であることを特徴とする、請求項1から7のいずれか一項に記載のパンツ型吸収性物品(1)。
【請求項９】
前記改質取付ゾーン(13)は、前記改質取付ゾーン(13)の総表面積の少なくとも30%の結合部累計表面積を有することを特徴とする、請求項1から8のいずれか一項に記載のパンツ型吸収性物品(1)。
【請求項１０】
前記処理テープ(10)は、前記折り畳まれた処理前構成において外周エッジ(15)を有し、前記外側カバー取付ゾーン(13)は、外周エッジ(16)を有し、前記外側カバー取付ゾーン(13)は、前記広げられた処理前構成で配置されると、前記処理テープ(10)の前記外周エッジ(15)まで、または、例えば少なくとも1mm、少なくとも2mm、もしくは少なくとも5mmだけこれを越えて、延びることを特徴とする、請求項1から9のいずれか一項に記載のパンツ型吸収性物品(1)。
【請求項１１】
前記取付ゾーン(13)は、断続パターンで、または前記外側カバー取付ゾーン(13)を全体的に覆う連続パターンで、改質されていることを特徴とする、請求項1から10のいずれか一項に記載のパンツ型吸収性物品(1)。
【請求項１２】
前記処理テープ(10)は、矩形であり、かつ前記処理前構成にある場合は、z型に折り畳まれていることを特徴とする、請求項1から11のいずれか一項に記載のパンツ型吸収性物品(1)。
【請求項１３】
前記処理テープ(10)は、熱可塑性フィルムを含むか、または熱可塑性フィルムからなることを特徴とする、請求項1から12のいずれか一項に記載のパンツ型吸収性物品(1)。
【請求項１４】
前記処理テープ(10)は、接着剤によって前記取付ゾーン(13)に永続的に取り付けられることを特徴とする、請求項1から13のいずれか一項に記載のパンツ型吸収性物品(1)。
【請求項１５】
前記処理テープ(10)は、前記広げられた構成において長さおよび幅(W)を有し、前記幅は、5〜30mm、例えば12〜20mmの範囲内であることを特徴とする、請求項1から14のいずれか一項に記載のパンツ型吸収性物品(1)。
【請求項１６】
処理テープ(10)をパンツ型吸収性物品(1)の外側カバー(2)に永続的に取り付ける方法であって、
a)不織布繊維状材料(4)上のゾーン(13)を、熱処理、プラズマ処理で、前記ゾーンを圧縮することによって、または、前記処理のうちの2つ以上の組合せによって改質させて、改質取付ゾーン(13)を提供するステップと、
b)テープ接着ゾーン(12)を含む処理テープ(10)を、前記テープ接着ゾーン(12)を前記改質取付ゾーン(13)に接着により結合することによって、前記不織布繊維状材料(4)に永続的に取り付けるステップと、
c)パンツ型吸収性物品(1)を製造するステップであって、前記パンツ型吸収性物品(1)は、前記パンツ型吸収性物品(1)の衣服に面する側(5)に配された外側カバー(2)として前記不織布繊維状材料(4)を含み、前記パンツ型吸収性物品(1)は、前部(7)と、後部(8)と、前記前部(7)と前記後部(8)との間のクロッチ部(9)と、を有し、前記クロッチ部(9)に配置された吸収コア(25)を含む、ステップと、を含み、
前記ゾーンの改質ステップa)および前記処理テープの取り付けステップb)は、前記パンツ型吸収性物品の組み立てステップc)の前、前記パンツ型吸収性物品の組み立てステップc)の間、または前記パンツ型吸収性物品の組み立てステップc)の後に実行される、処理テープ(10)をパンツ型吸収性物品(1)の外側カバー(2)に永続的に取り付ける方法。
【請求項１７】
前記改質取付ゾーン(13)は、以下の処理;熱もしくは冷却エンボス加工、超音波、プラズマ電荷、コロナ処理、熱風および/または赤外線のうちの1つまたは複数によって改質される、請求項16に記載の処理テープ(10)をパンツ型吸収性物品(1)の外側カバー(2)に永続的に取り付ける方法。
【請求項１８】
パンツ型吸収性物品(1)を製造する前記ステップc)は、弾性の細長い要素もしくは弾性材料によって前記外側カバー(2)を弾性化するステップを含み、または、前記不織布繊維状材料(4)は、弾性不織布繊維状材料であり、少なくとも部分的に弾性の外側カバー(2)を提供し、前記少なくとも部分的に弾性の外側カバー(2)は、前記ゾーンの改質ステップa)および前記処理テープ(10)の取り付けステップb)中に、伸ばされた状態で維持される、請求項16または17に記載の処理テープ(10)をパンツ型吸収性物品(1)の外側カバー(2)に永続的に取り付ける方法。
【請求項１９】
前記改質ステップa)は、熱エンボス加工などによって、同時に熱および圧縮処理するステップを含む、請求項16から18のいずれか一項に記載の処理テープ(10)をパンツ型吸収性物品(1)の外側カバー(2)に永続的に取り付ける方法。
【請求項２０】
前記改質ステップa)は、熱処理で前記不織布繊維状材料(4)上のゾーン(13)を改質するステップを含み、ステップb)は、前記改質取付ゾーンが依然として前記不織布繊維状材料(4)の非改質部分(14)の温度より高い温度を有する間に、ステップa)の直後に実行される、請求項16から19のいずれか一項に記載の処理テープ(10)をパンツ型吸収性物品(1)の外側カバー(2)に永続的に取り付ける方法。
【発明の詳細な説明】
【技術分野】
【０００１】
本開示は、処理テープを備えたパンツ型吸収性物品に関する。本開示は、処理テープをパンツ型吸収性物品の外側カバーに永続的に取り付ける方法にも関する。
【背景技術】
【０００２】
使い捨ての吸収性物品は、身体滲出物または流体、例えば尿を受容および収容するように設計されている。吸収性物品は、一度しか使用できないように構成され、液体透過性トップシートと、外側カバーと、トップシートと外側カバーとの間に配置された吸収コアと、を含む。
【０００３】
使い捨ての吸収性物品は、使用中、すなわち着用されている間は快適でなければならず、吸収性物品が、できるだけ標準的な下着に近い、布のような柔らかい外観を有することが望ましくなり得る。使い捨てのパンツ型おむつでは、外側カバーはしばしば、ウエスト部分の端を覆って内側に折り畳まれ得、したがって、着用者の皮膚と直接接触し、したがって、外側カバー上の最も外側の材料層として、柔らかく布のような不織布を有することが有利となり得る。
【０００４】
使い捨てのパンツ型おむつは、丸めた衣服を固定するためにさまざまなタイプの処理テープ構造を備える場合があり、それによって、おむつを容易かつ衛生的に処分することができる。このような処理テープは、おむつの外側カバーに解放可能に結合される接着セクションを有する、長手方向に延びる締結テープとすることができる。テープの上端部または下端部は、衣服の外側表面に永続的に結合される。処理テープは、テープの一部を基部から剥がした後で伸ばされ、その後、おむつに巻き付けられて、容易に処分されるよう、おむつを丸めた構成に固定することができる。おむつの使用中、ユーザの衣服に対して摩擦され、こすりつけられると、処理テープのエッジまたは角部分の分離が生じる場合があり、外側カバーへの処理テープの取り付けが十分でない場合には、これは、処分の際におむつの品質に悪影響を及ぼし、着用者または介護者が処理テープを、丸めたおむつに巻き付けているときに処理テープを広げて引っ張る際に、外側カバーからの処理テープの部分的な分離が生じ得る。
【発明の概要】
【発明が解決しようとする課題】
【０００５】
本開示は、パンツ型吸収性物品の外側カバーへの処理テープの永続的な取り付けの改善、およびパンツ型吸収性物品の外側カバーに処理テープを永続的に取り付ける方法を提供する。
【課題を解決するための手段】
【０００６】
本発明は、請求項1に記載のパンツ型おむつおよび請求項16に記載の方法に関する。さらなる実施形態が、従属請求項、以下の説明、および図面に記載されている。
【０００７】
本開示は、パンツ型吸収性物品、例えば、パンツおむつ、サニタリーパンツ、または失禁パンツに関する。この物品は、吸収性物品の衣服に面する側に配された外側カバーを含み、物品は、前部と、後部と、それらの間のクロッチ部と、をさらに有する。吸収性物品は、外側カバーの着用者に面する側でクロッチ部に配置された吸収コアをさらに含む。外側カバーは、その衣服に面する側に不織布繊維状材料を含み、テープ接着ゾーンを含む処理テープは、そのテープ接着ゾーンが、物品の後部における外側カバーの不織布繊維状材料上の取付ゾーンにおいて外側カバーに永続的に取り付けられる。処理テープは、折り畳まれた処理前構成と、広げられた処理構成と、を有する。外側カバー取付ゾーンは、不織布繊維状材料の改質部分によって構成され、テープ接着ゾーンと改質取付ゾーンとの間の結合強度は、テープ接着ゾーンと不織布繊維状材料の非改質部分との間の結合強度より大きい。
【０００８】
用語「吸収性物品」は、尿、糞便、および月経液のような身体滲出物を吸収および収容するために着用者の皮膚に接して設置される製品を指す。本開示は、さらに、使い捨ての吸収性物品を指し、これは、洗濯されること、または別様に使用後に吸収性物品として修復もしくは再利用されることを意図しない、物品を指す。本開示は、「使い捨てのパンツ型吸収性物品」を指し、これは、吸収性物品の衣服に面する側に配された外側カバーと、外側カバーの着用者に面する側でクロッチ部に配置された吸収コアと、を有する。このようなパンツ型吸収性物品の例は、パンツおむつ、サニタリーパンツ、および失禁パンツである。
【０００９】
「永続的に取り付けられる」とは、2つの要素、本明細書では処理テープへの不織布繊維状材料の取り付けを指し、それによって、これらの要素は、吸収性物品の通常の使用状態中に結合され、かつ結合されたままとなる傾向を有し、例えば、処理テープは、テープが不織布繊維状材料から離れずにテープが処理テープの把持端部において少なくとも25Nの荷重に耐えるような接着力で、不織布繊維状材料に永続的に取り付けられる。
【００１０】
パンツ型吸収性物品は、外側カバーを含み、外側カバーは弾性であってよく、かつ、外側カバーの衣服に面する不織布材料と、不織布材料の着用者に面する側に設けられたさらなる材料層との間に取り付けられた、弾性のある糸などの弾性部材を含むなど、伸縮性のあるウエスト部分を含み得る。外側カバーは、弾性積層物、例えば、第1および第2の非弾性繊維状不織布材料に両側が結合された弾性フィルムを含む弾性積層物、も含み得る。積層物は、非弾性繊維状不織布材料を弾性フィルム層に結合させ、その後、その複合材料を伸ばすことによって作られる。弾性フィルム材料は、通気性材料のものとすることができる。
【００１１】
改質取付ゾーンは、熱処理ゾーン、例えば、熱エンボス加工、超音波、熱風、またはIRによって形成された、熱処理ゾーンとすることができる。不織布繊維の熱処理により、不織布繊維のポリマー材料は、軟化および/または溶融し、それによって不織布表面を改質する。
【００１２】
改質取付ゾーンは、圧縮領域、例えば、エンボス加工によって、例えば打出機によって、またはローラーによって形成された、圧縮ゾーンとすることができる。不織布繊維状材料の圧縮により、不織布材料は圧縮され平坦化され、これにより、結合表面を提供する。
【００１３】
改質取付ゾーンは、改質断面外観を有し得、それによって、不織布繊維は、取付ゾーン内部が少なくとも部分的に固められるか、または平坦化される。このような改質は、取付ゾーンを熱処理し、かつ/または圧縮および改質することによって形成され得、それによって、処理テープ接着ゾーンへの結合強度が改善される。熱と圧縮との組合せは、不織布のポリマー材料を軟化および/または溶融させると共に、平坦化表面を提供するために圧力を供給する、加熱ローラーおよび熱エンボス加工を用いて達成され得る。
【００１４】
改質取付ゾーンは、プラズマ処理ゾーン、例えば、大気圧プラズマ、もしくはコロナ処理ゾーンとすることができる。プラズマおよびコロナ処理は、不織布の表面を改質することにより不織布外側カバーと処理テープとの間の結合強度を増大させる。
【００１５】
プラズマ処理は、繊維の化学構造を変化させることにより、ナノスケールで不織布繊維表面を改質する。プラズマは、外向きで中性の、部分的にイオン化されたガスであり、その組成は、プラズマの形成に使用されるガスに左右される。ガス分子は、電子衝撃を通じて電場においてイオン化され、イオン化された、反応性の高い種、例えばイオン、電子、およびラジカルは、不織布材料の表面を改質する。プラズマ処理は、永続的な表面改質を提供する。
【００１６】
コロナ処理は、低いコロナ放電を使用して、不織布表面の特性に変化を与える。コロナ処理によって提供された表面改質は永続的ではない。
【００１７】
外側カバーは、不織布繊維状材料と、少なくとも1つのさらなる材料層、例えば不織布材料および/または熱可塑性フィルムと、の積層物とすることができる。
【００１８】
積層物は、5〜100%の積層結合領域を有し得る。積層物は、接着スロット結合またはスプレーコーティングによって結合され得る。オプションとして、積層物結合領域は、100%未満、例えば5%〜95%とすることができる。
【００１９】
不織布繊維状材料は、複数の別々の結合部、例えば熱結合部を含み得、この別々の結合部の累計表面積は、不織布繊維状材料の総表面積の1%〜25%、例えば不織布繊維状材料の総表面積の5%〜25%の範囲内とすることができる。別々の結合部の累計面積が低い不織布材料は、柔らかく下着のような外観を不織布材料に提供することが分かっている。別々の結合部は、少なくとも2mm、または少なくとも4mmの、隣接する別々の結合部までの距離をさらに有し得、この距離は、別々の結合部のエッジからエッジまで測定される。不織布繊維状材料は、さらに溶融添加剤で処理されて、不織布材料の柔らかさを増大させることができ、このような溶融添加剤の例は、ポリオレフィンワックス、ならびに、一級アミドおよび二級アミド、例えばエルカミド、オレアミド、およびステアリル誘導体である。しかしながら、不織布材料が柔らかくフワフワしているという事実により、処理テープを不織布繊維状材料に取り付けるのが、より困難になる。また、より柔らかい不織布繊維状材料を外側カバーとして有する吸収性物品に関連して発明者らが認める問題は、より柔らかい不織布材料と処理テープとの間の結合強度が十分に強くなく、これにより、使用済みの吸収性物品を包むために処理テープを使用する際に処理テープが部分的に分離し得ることである。
【００２０】
よって、不織布繊維状材料は、柔らかい不織布繊維状材料、例えばスパンボンド不織布材料、スパンボンド-メルトブローン-スパンボンド材料の積層物とすることができる。不織布繊維状材料は、カード不織布材料とすることができ、不織布繊維状材料は、スルーエアボンド(through-air-bonded)不織布材料とすることができる。不織布繊維状材料の柔らかさを増大させるため、不織布材料は、別々の熱結合部の低い累計面積を有し得る。
【００２１】
不織布繊維状材料は、不織布繊維状材料の非改質部分より、改質取付ゾーンにおいて高い結合面積を有し得る。
【００２２】
改質取付ゾーンにおける結合部の累計表面積は、改質取付ゾーンの総表面積の少なくとも30%、例えば30%〜85%とすることができる。
【００２３】
弾性外側カバーを含む吸収性物品では、外側カバーの不織布材料と処理テープとの間の強い取り付けも必要とされ得、これは、弾性外側カバーにより生じるしわにより、処理テープの結合が弱まり、かつ/または、処理テープの外側エッジが外側カバーから分離されるリスクが増大し得るためである。
【００２４】
処理テープは、折り畳まれた処理前構成において外周エッジを有し得、外側カバー取付ゾーンは、外周エッジを有し得る。外側カバー取付ゾーンは、広げられた処理前構成で配置されると、処理テープの外周エッジまで、またはこれを越えて延び得る。外側カバー取付ゾーンは、少なくとも1mm、または少なくとも2mm、または少なくとも5mmだけ、処理テープの外周エッジを越えて延び得る。
【００２５】
外側カバー取付ゾーンが処理テープの外周エッジまで、またはこれを越えて延び得るという事実は、処理テープの外周エッジにおいて不織布繊維状材料と処理テープとの間により高い結合強度を提供し、これは、外側エッジが不織布繊維状材料から緩むのを防ぎ、緩んだ場合、処理テープが着用者の衣類に巻き込まれ、その結果、処理テープが早期に広がり得る。
【００２６】
取付ゾーンは、断続パターンで、または外側カバー取付ゾーンを全体的に覆う連続パターンで、改質され得る。
【００２７】
処理テープは矩形とすることができ、また、処理前構成にある場合は、z型に折り畳まれ得る。
【００２８】
処理テープは、熱可塑性フィルムを含むか、またはこれからなる。
【００２９】
処理テープは、接着剤によって取付ゾーンに永続的に取り付けられ得る。接着剤は、例えば感圧ホットメルト(PSHM)接着剤とすることができる。
【００３０】
処理テープは、広げられた構成において長さおよび幅を有し得、幅は、5〜30mm、例えば12〜20mmの範囲内とすることができる。少なくとも5mm、例えば少なくとも12mmの幅を有し、本開示に従って改質されている外側カバー不織布繊維状材料に接着により付着している処理テープは、処理テープの取り付けを著しく改善することが、発明者らによって発見されている。
【００３１】
本開示は、処理テープをパンツ型物品の外側カバーに永続的に取り付ける方法にも関し、この方法は、
a)不織布繊維状材料上のゾーンを、熱処理、プラズマ処理で、ゾーンを圧縮することによって、または、これらの処理のうちの2つ以上の組合せによって改質させて、改質取付ゾーンを提供するステップと、
b)テープ接着ゾーンを含む処理テープを、テープ接着ゾーンを改質取付ゾーンに接着により結合することによって、不織布繊維状材料に永続的に取り付けるステップと、
c)パンツ型吸収性物品を製造するステップであって、パンツ型吸収性物品は、吸収性物品の衣服に面する側に配された外側カバーとして不織布繊維状材料を含み、物品は、前部と、後部と、それらの間のクロッチ部と、を有し、クロッチ部に配置された吸収コアを含む、ステップと、を含み、
ゾーンの改質ステップa)および処理テープの取り付けステップb)は、パンツ型吸収性物品の組み立てステップc)の前、その間、またはその後に実行される。
【００３２】
取付ゾーンは、以下の処理;熱もしくは冷却エンボス加工、超音波、プラズマ電荷、例えばコロナ処理、熱風および/または赤外線のうちの1つまたは複数によって改質され得る。
【００３３】
吸収性物品を製造するステップc)は、弾性の細長い要素もしくは弾性材料によって外側カバーを弾性化する(elastifying)ステップを含み得、または、不織布繊維状材料は弾性不織布繊維状材料であり、少なくとも部分的に弾性の外側カバーを提供し、弾性の外側カバーは、ゾーンの改質ステップa)および処理テープの取り付けステップb)の間に伸ばされる。
【００３４】
改質ステップa)は、熱エンボス加工などによって、例えば加熱ローラーまたは加熱打出機によって、同時に熱および圧縮処理するステップを含み得る。
【００３５】
改質ステップは同時に熱および圧縮処理することにより実行され得るという事実により、高すぎる温度または高すぎる圧力の使用を必要とせずにテープ接着ゾーンと改質取付ゾーンとの間の結合強度が改善され、高すぎる温度または高すぎる圧力は、不織布繊維状材料を損なうリスクがあるか、または、所望の改質不織布繊維状構造を入手するために、圧縮ツールを高温まで加熱することを必要として、高いエネルギー消費を生じ得る。このような改質の結果、改質取付ゾーンにおける不織布繊維は、少なくとも部分的に固められ平坦化され得る。
【００３６】
改質ステップa)は、熱処理で不織布繊維状材料上のゾーンを改質するステップを含み得、ステップb)は、改質取付ゾーンが依然として不織布繊維状材料の非改質部分の温度より高い温度を有する間に、ステップa)の直後に実行される。
【００３７】
本開示は、非限定的な実施例によって、また添付図面を参照して、以下でさらに説明される。
【図面の簡単な説明】
【００３８】
【図１】折り畳まれた処理前構成にある物品に処理テープが取り付けられたパンツ型吸収性物品を示す図である。
【図２】処理テープの取り付け前のパンツ型吸収性物品を示す図である。
【図３】広げられた処理構成にある物品に処理テープが取り付けられたパンツ型吸収性物品を示す図である。
【図４ａ】先行技術の非改質不織布繊維状材料に取り付けられた処理テープを示す図である。
【図４ｂ】熱改質部分の不織布繊維状材料に取り付けられた処理テープを示す図である。
【図４ｃ】プラズマ改質不織布繊維状材料に取り付けられた処理テープを示す図である。
【発明を実施するための形態】
【００３９】
図面は概略的なものであり、個々の構成要素、例えば材料層は、必ずしも一定の尺度で描かれているわけではないことが、理解される。図面に示されたパンツ型吸収性物品は、単なる例として提供されており、本開示に限定されるものとみなされるべきではない。したがって、本発明の範囲は、添付の特許請求の範囲によってのみ決定される。
【００４０】
図1は、本開示によるパンツ型吸収性物品1の斜視図である。パンツおむつ1は、外側カバー2と、トップシート24と、トップシート24と外側カバー2との間に配置された吸収コア25と、を有する。パンツおむつ1は、前部7と、後部8と、前部7と後部8とを接合するクロッチ部9および継ぎ目17と、を有して、2つの脚用開口部18と、ウエスト用開口部19と、を形成する。図1に示す外側カバー2は、多要素外側カバー2の形態であり、これは、通気性の外側カバー前部2bおよび通気性の外側カバー後部2cを含む外側カバー主要部分2aを含む。外側カバー主要部分2aは、吸収コア25の周辺部の周りでトップシート24に接合され、それによって、吸収コア25は、トップシート24および外側カバー主要部分2aによって形成されたエンベロープ内部に封入される。外側カバー主要部分2aは、蒸気を吸収コア25から逃がすと共に、液体が吸収コア25を通過するのを防ぐように、通気性とすることができる。
【００４１】
しかしながら、外側カバー2は、外側カバー主要部分2a、前部2b、および後部2cにわたって延びる、連続した外側不織布繊維状材料4で形成されてもよい。外側カバー2は、着用者の股領域の上を延びる外側カバー主要部分2aが、通気性もしくは非通気性のポリマーフィルムで、またはフィルム/不織布の積層物で、補強され得る。
【００４２】
通気性材料の例は、微多孔性ポリマーフィルム、スパンボンド層およびメルトブローン層による不織布積層物、微多孔性ポリマーフィルムおよび不織布材料による積層物である。吸収コアを覆う、吸収コア25の領域では、外側カバー2は、液体不透過性フィルム層、例えば薄い熱可塑性フィルム、例えば、ポリエチレンもしくはポリプロピレンフィルムを含み得る。液体不透過性フィルム層は、パンツおむつ1の衣服に面する側で少なくとも吸収コア25を覆う。
【００４３】
液体透過性トップシート24は、当業者に既知のような任意の適切なトップシート材料とすることができ、不織布材料、例えばスパンボンド、メルトブローン、カード、水流交絡、ウェットレイドなどで構成された、繊維状トップシート材料とすることができる。適切な不織布材料は、天然繊維、例えば木材パルプもしくは綿繊維、合成熱可塑性繊維、例えばポリオレフィン、ポリエステル、ポリアミド、ならびにそれらのブレンドおよび組合せで、または、天然繊維と合成繊維の混合物から構成され得る。トップシート材料のさらなる例は、多孔質発泡体である。トップシート材料として適した材料は、柔らかく、皮膚に対して刺激性が無く、体液、例えば尿または月経液を容易に透過させなければならない。トップシート材料は、非吸収性繊維、例えば合成熱可塑性繊維、例えばポリオレフィン、ポリエステル、ポリアミド、ならびにそれらのブレンドおよび組合せで本質的に構成され得る。合成繊維は、ポリエステル、ポリアミドおよび/またはポリオレフィン、例えばポリプロピレンおよびポリエチレンを含む、単成分繊維、二成分繊維、または多成分繊維とすることができる。
【００４４】
本開示の使い捨ての吸収性物品は、外側カバーの着用者に面する側に設けられた吸収コア25を含む。吸収コア25は、任意の従来の種類のもので、かつ任意の有用なサイズおよび形状のものとすることができる。普通に存在する吸収性材料の例は、セルロースのフラッフパルプ、組織層、吸収性の高いポリマー(いわゆる、高吸収性物質)、吸収性発泡材料、吸収性不織布材料などである。吸収性構造においてセルロースのフラッフパルプを高吸収性物質と組み合わせることは、一般的である。液体収集能力、液体分配能力および貯蔵能力に関して、種々の特性を備えた種々の材料の層を含む吸収性構造を有することも一般的である。これは、当業者には周知であり、したがって、詳細に説明する必要はない。薄い吸収体は、今日の衛生用物品では一般的であり、セルロースのフラッフパルプおよび高吸収性物質の圧縮混合または層状構造をしばしば含む。吸収性構造のサイズおよび吸収能力は、種々の用途、例えば成人失禁用パンツおよび赤ちゃん用パンツおむつに適するように変更され得る。
【００４５】
図1では、外側カバー2は外側カバー主要部分2aが別のウェブ材料で作られており、この材料は、快適さおよび通気性を提供する。外側カバー前部2bおよび外側カバー後部2cはそれぞれ、その衣服に面する側3に柔らかい不織布繊維状材料4を含む。
【００４６】
図1のパンツおむつ1は、クロッチ部9に、パンツおむつ1の長手方向サイドエッジに沿って配されたバリアレッグカフ21をさらに含む。バリアレッグカフ21はクロッチ部9における液体および他の身体滲出物の封じ込めを改善する。
【００４７】
不織布繊維状材料4は、柔らかい不織布繊維状材料4、例えばスパンボンド不織布材料、スパンボンド-メルトブローン-スパンボンド材料の積層物とすることができる。不織布繊維状材料は、カード不織布材料とすることができ、不織布繊維状材料は、スルーエアボンド不織布材料とすることができる。別々の熱結合部の累計面積が低い不織布繊維状材料は、改善された柔らかさを有することが分かっている。別々の熱結合部は、隣接する結合部までの距離が少なくとも2mm、または少なくとも4mmの、別々の結合部を含む希薄パターンで位置することができ、この距離は、別々の結合部のエッジとエッジとの間で測定される。結合部の累計表面積は、不織布材料4の総表面積の1%〜25%の範囲とすることができる。不織布材料4は、溶融添加剤でさらに処理されて、不織布材料4の柔らかさを増大させることができる。
【００４８】
処理テープ10が、パンツおむつ1の後部8において、外側カバー2の不織布繊維状材料4に取り付けられる。処理テープ10は、折り畳まれた処理前構成において、接着剤でパンツおむつ1に取り付けられる。接着剤は、例えば感圧ホットメルト(PSHM)接着剤とすることができる。処理テープ10は、例えば熱可塑性フィルム、例えばポリオレフィンフィルムを含むか、またはこれからなることができる。処理テープ10は、折り畳まれた処理前構成において、外周エッジ15を有する。
【００４９】
図2は、処理テープ10を吸収性物品1の後部8において外側カバー2に取り付ける前の、図1によるパンツ型おむつ1の図を示す。処理テープ10は、処理テープ10を、不織布繊維状材料4上の改質取付ゾーン13において外側カバー2に永続的に取り付けるために接着剤を備えたテープ接着ゾーン12を含む。改質取付ゾーン13は、不織布繊維状材料4の改質部分で構成され、これは、テープ接着ゾーン12と改質取付ゾーン13との間の結合強度を増大させるように改質されている。よって、改質取付ゾーン13における不織布繊維状材料4の改質は、不織布繊維状材料4の非改質部分14と比べて、テープ接着ゾーン12と改質取付ゾーン13との間の、より高い結合強度を提供する。
【００５０】
結合強度は、テープ接着ゾーン12と改質取付ゾーン13との間の結合強度を測定し、それを、テープ接着ゾーン12と不織布繊維状材料の非改質部分14との間の結合強度と比較することに関する任意の方法で測定され得る。
【００５１】
図2は、改質断面外観を有する、改質取付ゾーン13を示し、不織布繊維は、取付ゾーン13内部が、少なくとも部分的に固められ、かつ/または平坦化される。
【００５２】
不織布繊維状材料4の改質、および不織布繊維状材料4への処理テープ10の取り付けは、オプションとして、パンツおむつ1の組み立て前に実行され得る。不織布繊維状材料4は、連続不織布繊維状材料ウェブの形態で、連続不織布繊維状材料ウェブ上のゾーンを、ゾーン間に所定の距離がある状態で改質することによって、提供され得る。改質は、本明細書に記載するとおり、熱処理、プラズマ処理によって、前記ゾーンを圧縮すること、または前記処理のうちの2つ以上の組合せによって達成されて、改質取付ゾーン13を提供することができる。続くステップでは、処理テープ10は、それぞれの改質取付ゾーン13に取り付けられ得る。処理テープ10は、テープ接着ゾーン12を押し、それによって改質取付ゾーン13に結合させることによって、接着層を備えたテープ接着ゾーン12が、不織布繊維状材料4に取り付けられる。不織布の改質、および処理テープの取り付けは、別個の製造ステップで実行され得、それによって処理テープが所定の反復位置において改質取付ゾーンに既に取り付けられたロール状態で不織布材料がパンツ型おむつ組み立てラインに送達され得るか、または代わりに、パンツ型吸収性物品の組み立て前、その間、もしくはその後で、連続製造ライン上でパンツ型吸収性物品を製造する際に実行され得る。
【００５３】
図2に示すように、外側カバー取付ゾーン13は、外周エッジ16を有し、外側カバー取付ゾーン13は、外側カバー2に取り付けられ、広げられた処理前構成で配置されると、処理テープ10の外周エッジ15まで延びる。外側カバー取付ゾーン13の外周エッジ16はまた、例えば少なくとも1mm、または少なくとも2mmだけ、処理テープ10の外周エッジ15を越えて延び得る。
【００５４】
図3は、処理テープ10が広げられた処理構成にある、本開示によるパンツおむつ1を示す。処理テープ10は、処理テープ10の把持端部23を引っ張ると広げられる。
【００５５】
処理テープ10は、外側カバー2に取り付けられた第1のテープ22および第2のテープ11を含み得、第1のテープ22は、第1のテープ補強セクション22aと、第2のテープ11に取り付けられた第1のテープ接続セクション22bと、を含み、処理テープ10が広げられた処理構成にあるときにT字型の取り付け構成を有する、このような処理テープの構成は、不織布繊維状材料4への取り付けを改善させる。
【００５６】
図4aは、不織布繊維4aを含む、柔らかく、改質されていない先行技術の不織布繊維状材料4を示し、処理テープ10は、非改質取付ゾーン13において非改質不織布繊維状材料4に取り付けられている。処理テープ10は、接着層を備えたテープ接着ゾーン12を有する。図4aで分かるように、不織布繊維4aの疎水性の性質、および不織布繊維状材料4が材料をさらに柔らかくする、比較的低い総結合面積、すなわち別々の結合部の累計表面積を有するという事実はまた、不織布材料4と処理テープ10との間の接触面積の減少をもたらす。その結果、テープ接着ゾーン12と取付ゾーン13との間の結合強度があまり強くなくなる。
【００５７】
図4bは、不織布繊維4aを含む不織布繊維状材料4を示し、不織布繊維状材料4は、熱エンボス加工によって改質されており、それによって、不織布繊維4aは、取付ゾーン13内部が少なくとも部分的に固められ、平坦化される。処理テープ10は、テープ接着ゾーン12が、取付ゾーン13において不織布繊維状材料4に取り付けられる。取付ゾーン13が熱エンボス加工されるという事実により、テープ接着ゾーン12と熱エンボス加工された取付ゾーン13との間の結合強度が増大する。
【００５８】
図4cは、不織布繊維4aを含む不織布繊維状材料4を示し、不織布繊維状材料4は、不織布繊維状材料4の取付ゾーン13がプラズマ処理によって改質されている。プラズマ処理は、不織布繊維4aに表面改質を提供し、これにより、表面エネルギーが高まり、それによって、不織布材料4の湿潤性および接着特性が改善される。よって、プラズマ処理は、処理テープ10のテープ接着ゾーン12と不織布繊維状材料4の改質取付ゾーン13との間の接着改善をもたらす。
【実施例】
【００５９】
処理テープとバックシート材料との間の接着強度の測定
引張試験機において、定められた牽引速度を受けたときの、おむつの使い捨てのテープとバックシート不織布材料との間の接着強度を判定する方法を使用した。この試験は、製品が製造され、袋に詰められてから少なくとも24時間後に実行した。適切なソフトウェアを実行するコンピュータに接続された50または100Nのロードセルを備えたインストロン引張試験機が、この試験で使用された。おむつの背中側のウエスト部分が、インストロン引張試験機の、この方法のために特別に設計した固定物において固定された。引張試験機は、300mm/分で90°の角度でテープを引っ張り、試験中に生成された最大の力を登録した。本開示によるおむつのバックシート不織布材料上の熱処理ゾーン上で糊によって接着された処理テープの1つの試験シリーズ、およびバックシート不織布材料に直接糊付けされた参照見本の1つの試験シリーズを試験した。結果をTable 1(表1)に示す。この結果から、95%信頼区間で、本開示によるバックシート不織布材料の改質ゾーンは、処理テープへの結合強度をかなり増大させたことが明らかである。
【００６０】
【表１】
2021504033.tif 000003
【符号の説明】
【００６１】
1  パンツ型吸収性物品
2  外側カバー
2a  外側カバー主要部分
2b  外側カバー前部
2c  通気性の外側カバー後部
3  衣服に面する側
4  不織布繊維状材料
4a  不織布繊維
7  前部
8  後部
9  クロッチ部
10  処理テープ
11  第2のテープ
12  テープ接着ゾーン
13  改質取付ゾーン
14  非改質部分
15  外周エッジ
16  外周エッジ
17  継ぎ目
18  脚用開口部
19  ウエスト用開口部
21  バリアレッグカフ
22  第1のテープ
22a  第1のテープ補強セクション
22b  第1のテープ接続セクション
23  把持端部
24  トップシート
25  吸収コア
【図１】
2021504033.tif 000004
【図２】
2021504033.tif 000005
【図３】
2021504033.tif 000006
【図４ａ】
2021504033.tif 000007
【図４ｂ】
2021504033.tif 000008
【図４ｃ】
2021504033.tif 000009
【手続補正書】
【提出日】令和2年7月22日(2020.7.22)
【手続補正１】
【補正対象書類名】特許請求の範囲
【補正対象項目名】全文
【補正方法】変更
【補正の内容】
【特許請求の範囲】
【請求項１】
パンツおむつ、サニタリーパンツ、または失禁パンツなどのパンツ型吸収性物品(1)であって、前記パンツ型吸収性物品(1)は、前記パンツ型吸収性物品(1)の衣服に面する側(5)に配された外側カバー(2)を含み、前記パンツ型吸収性物品(1)は、前部(7)と、後部(8)と、前記前部(7)と前記後部(8)との間のクロッチ部(9)と、を有し、前記パンツ型吸収性物品(1)は、前記外側カバー(2)の着用者に面する側で前記クロッチ部(9)に配置された吸収コア(25)を含み、前記外側カバー(2)は、その衣服に面する側(3)に不織布繊維状材料(4)を含み、テープ接着ゾーン(12)を含む処理テープ(10)は、前記テープ接着ゾーン(12)が、前記パンツ型吸収性物品(1)の前記後部(8)における前記外側カバー(2)の前記不織布繊維状材料(4)上の取付ゾーン(13)において前記外側カバー(2)に永続的に取り付けられ、前記処理テープ(10)は、折り畳まれた処理前構成と、広げられた処理構成と、を有し、外側カバー取付ゾーン(13)は、前記不織布繊維状材料(4)の改質部分によって構成され、前記テープ接着ゾーン(12)と改質取付ゾーン(13)との間の結合強度は、前記テープ接着ゾーン(12)と前記不織布繊維状材料(4)の非改質部分(14)との間の結合強度より大きく、前記改質取付ゾーン(13)は、改質断面外観を有し、それによって、不織布繊維(4a)は、前記取付ゾーン(13)内部が少なくとも部分的に固められ、かつ/または平坦化されることを特徴とする、パンツ型吸収性物品(1)。
【請求項２】
前記改質取付ゾーン(13)は、熱処理ゾーン、例えば熱エンボス加工、超音波、熱風、またはIRによって形成された熱処理ゾーンであることを特徴とする、請求項1に記載のパンツ型吸収性物品(1)。
【請求項３】
前記改質取付ゾーン(13)は、圧縮領域、例えばエンボス加工によって形成された圧縮ゾーンであることを特徴とする、請求項1または2に記載のパンツ型吸収性物品(1)。
【請求項４】
前記改質取付ゾーン(13)は、圧縮され熱処理された領域、例えば熱エンボス加工によって形成された熱圧縮ゾーンであることを特徴とする、請求項1から3のいずれか一項に記載のパンツ型吸収性物品(1)。
【請求項５】
前記改質取付ゾーン(13)は、プラズマ処理ゾーンまたはコロナ処理ゾーンであることを特徴とする、請求項1から4のいずれか一項に記載のパンツ型吸収性物品(1)。
【請求項６】
前記外側カバー(2)は、前記不織布繊維状材料(4)と、少なくとも1つのさらなる材料層、例えば不織布材料および/または熱可塑性フィルムと、の積層物であることを特徴とする、請求項1から5のいずれか一項に記載のパンツ型吸収性物品(1)。
【請求項７】
前記外側カバー(2)の前記不織布繊維状材料(4)は、複数の別々の結合部を含み、前記結合部の累計表面積は、前記不織布繊維状材料(4)の総表面積の1%〜25%の範囲内であることを特徴とする、請求項1から6のいずれか一項に記載のパンツ型吸収性物品(1)。
【請求項８】
前記改質取付ゾーン(13)は、前記改質取付ゾーン(13)の総表面積の少なくとも30%の結合部累計表面積を有することを特徴とする、請求項1から7のいずれか一項に記載のパンツ型吸収性物品(1)。
【請求項９】
前記処理テープ(10)は、前記折り畳まれた処理前構成において外周エッジ(15)を有し、前記外側カバー取付ゾーン(13)は、外周エッジ(16)を有し、前記外側カバー取付ゾーン(13)は、前記広げられた処理前構成で配置されると、前記処理テープ(10)の前記外周エッジ(15)まで、または、例えば少なくとも1mm、少なくとも2mm、もしくは少なくとも5mmだけこれを越えて、延びることを特徴とする、請求項1から8のいずれか一項に記載のパンツ型吸収性物品(1)。
【請求項１０】
前記取付ゾーン(13)は、断続パターンで、または前記外側カバー取付ゾーン(13)を全体的に覆う連続パターンで、改質されていることを特徴とする、請求項1から9のいずれか一項に記載のパンツ型吸収性物品(1)。
【請求項１１】
前記処理テープ(10)は、矩形であり、かつ前記処理前構成にある場合は、z型に折り畳まれていることを特徴とする、請求項1から10のいずれか一項に記載のパンツ型吸収性物品(1)。
【請求項１２】
前記処理テープ(10)は、熱可塑性フィルムを含むか、または熱可塑性フィルムからなることを特徴とする、請求項1から11のいずれか一項に記載のパンツ型吸収性物品(1)。
【請求項１３】
前記処理テープ(10)は、接着剤によって前記取付ゾーン(13)に永続的に取り付けられることを特徴とする、請求項1から12のいずれか一項に記載のパンツ型吸収性物品(1)。
【請求項１４】
処理テープ(10)をパンツ型吸収性物品(1)の外側カバー(2)に永続的に取り付ける方法であって、
a)不織布繊維状材料(4)上のゾーン(13)を、熱処理、プラズマ処理で、前記ゾーンを圧縮することによって、または、前記処理のうちの2つ以上の組合せによって改質させて、改質取付ゾーン(13)を提供するステップと、
b)テープ接着ゾーン(12)を含む処理テープ(10)を、前記テープ接着ゾーン(12)を前記改質取付ゾーン(13)に接着により結合することによって、前記不織布繊維状材料(4)に永続的に取り付けるステップと、
c)パンツ型吸収性物品(1)を製造するステップであって、前記パンツ型吸収性物品(1)は、前記パンツ型吸収性物品(1)の衣服に面する側(5)に配された外側カバー(2)として前記不織布繊維状材料(4)を含み、前記パンツ型吸収性物品(1)は、前部(7)と、後部(8)と、前記前部(7)と前記後部(8)との間のクロッチ部(9)と、を有し、前記クロッチ部(9)に配置された吸収コア(25)を含む、ステップと、を含み、
前記ゾーンの改質ステップa)および前記処理テープの取り付けステップb)は、前記パンツ型吸収性物品の組み立てステップc)の前、前記パンツ型吸収性物品の組み立てステップc)の間、または前記パンツ型吸収性物品の組み立てステップc)の後に実行される、処理テープ(10)をパンツ型吸収性物品(1)の外側カバー(2)に永続的に取り付ける方法。
【請求項１５】
パンツ型吸収性物品(1)を製造するステップc)は、弾性の細長い要素もしくは弾性材料によって前記外側カバー(2)を弾性化するステップを含み、または、前記不織布繊維状材料(4)は、弾性不織布繊維状材料であり、少なくとも部分的に弾性の外側カバー(2)を提供し、前記少なくとも部分的に弾性の外側カバー(2)は、ゾーンの改質ステップa)および前記処理テープ(10)の取り付けステップb)中に、伸ばされた状態で維持される、請求項14に記載の処理テープ(10)をパンツ型吸収性物品(1)の外側カバー(2)に永続的に取り付ける方法。
【国際調査報告】
2021504033.tif 000010
2021504033.tif 000011
2021504033.tif 000012